(57)【特許請求の範囲】
【請求項１】
夫々、多数の中空糸分離膜を束ねた束体を筒体（２）に収容し、その束体の両端に気体出入口ヘッダを構成し、気体入口ポート（１０ａ）が設けられた入口側キャップ（１０）と、気体出口ポート（１６）が設けられた出口側キャップ（１１）とが配置され、筒体（２）内にパージ用の気体を供給するパージ入口ポート（１８）が設けられた、複数の気体分離膜モジュール（１）を有し、
その気体分離膜モジュール（１）が複数並列接続される場合において、夫々の気体分離膜モジュール（１）の夫々の気体出口側に接続可能な前記パージ用の気体の分配装置であって、
出口側キャップ（１１）の気体出口ポート（１６）から供給されるパージ用気体の入口となるパージ入口ポート（２２）が端部に形成されている主連通路（２４）および、その主連通路（２４）から分岐した複数の分岐連通路（２５）を有するマニホルドユニット（１２）と、
出口側キャップ（１１）の気体出口ポート（１６）とマニホルドユニット（１２）のパージ入口ポート（２２）とが連通する連通手段（１４）および流量調整手段（１５）を有するパージ供給手段（１３）と、を具備し、
夫々の気体分離膜モジュール（１）の各パージ入口ポート（１８）に、マニホルドユニット（１２）の各分岐連通部（２５）が連通されることを特徴とするパージ用気体分配装置。
【請求項２】
前記マニホルドユニット（１２）の前記主連通路（２４）に圧力計（２６）が取付られ、その圧力計（２６）の出力に基づき、前記流量調整手段（１５）が制御される請求項１に記載のパージ用気体分配装置。
【請求項３】
夫々、多数の中空糸分離膜を束ねた束体を筒体（２）に収容し、その束体の両端に気体出入口ヘッダを構成する入口側キャップ（１０）と出口側キャップ（１１）とが配置され、筒体（２）内にパージ用の気体を供給するパージ入口ポート（１８）が設けられた、複数の気体分離膜モジュール（１）を有し、
その気体分離膜モジュール（１）が複数並列接続される場合において、複数の気体分離膜モジュール（１）の気体出口側に直接装着が可能な前記パージ用の気体の分配装置であって、
複数の出口側キャップ（１１）に直接連結されるブロック状のマニホルドユニット（１２）と、パージ供給手段（１３）とを備え、
前記出口側キャップ（１１）は、束体の出口側と連通する気体出口ポート（１６）と、前記パージ入口ポート（１８）とを有し、
前記マニホルドユニット（１２）は、パージ入口ポート（２２）を端部に有する主連通路（２４）と、その主連通路（２４）から複数の分岐連通路（２５）が分岐され、各分岐連通路（２５）の端部がパージ出口ポート（２３）を有し、
前記出口側キャップ（１１）の各パージ入口ポート（１８）と、それに対応するマニホルドユニット（１２）の各パージ出口ポート（２３）が互いに連通され、
パージ供給手段（１３）は出口側キャップ（１１）の気体出口ポート（１６）とマニホルドユニット（１２）のパージ入口ポート（２２）に連通する連通手段（１４）および流量調整手段（１５）を有することを特徴とするパージ用気体分配装置。
【請求項４】
パージ供給手段（１３）における流量調整手段（１５）の出口側またはマニホルドユニット（１２）の主連通路（２４）に圧力計（２６）が連通していることを特徴とする請求項３に記載のパージ用気体分配装置。
【請求項５】
夫々の気体分離膜モジュール（１）の出口側キャップ（１１）は、その周方向の側面に順次隣り合う第１外面と第２外面と第３外面とが互いに直交する平面を有し、互いに平行な第１外面および第３外面に互いに連通された少なくとも一対の気体出口ポート（１６）が開口され且つ、第２外面にパージ入口ポート（１８）が開口し、
マニホルドユニット（１２）は、細長いブロック体からなりその少なくとも一方の側面に定間隔に複数のパージ出口ポート（２３）が開口され、
夫々の気体分離膜モジュール（１）の出口側キャップ（１１）を互いに接続して各気体出口ポート（１６）どうしが接続される共に、その接続体の側面にマニホルドユニット（１２）を接続して、夫々のパージ出口ポート（２３）とパージ入口ポート（１８）とが連通されるように構成された請求項３または請求項４に記載のパージ用気体分配装置。
【請求項６】
出口側キャップ（１１）の第２外面に気体出口ポート（１６）が開口され、それが第１外面および第３外面の気体出口ポート（１６）に互いに連通され、
マニホルドユニット（１２）は、両側面に定間隔に複数のパージ出口ポート（２３）および気体貫通路（２１）が開口され、
夫々の気体分離膜モジュール（１）の出口側キャップ（１１）を互いに接続して、その接続体が少なくとも二列に配置され、両列間にマニホルドユニット（１２）が介装され、各列の気体出口ポート（１６）が同一の列内で連通されると共に、マニホルドユニット（１２）の夫々のパージ出口ポート（２３）と夫々の気体分離膜モジュール（１）のパージ入口ポート（１８）とが連通し且つ、夫々の気体貫通路（２１）と気体出口ポート（１６）が連通するように構成された請求項５に記載のパージ用気体分配装置。
【請求項７】
筒体（２）が直管で構成され、その一端に入口側キャップ（１０）が配置され、他端に出口側キャップ（１１）が配置され、
入口側キャップ（１０）は、その周方向の側面に順次隣り合う第１外面と第２外面と第３外面とが互いに直交する平面を有し、第１外面〜第３外面に互いに連通された３つの気体入口ポート（１０ａ）が開口され、
夫々の気体分離膜モジュール（１）の入口側キャップ（１０）を互いに接続して、その接続体が少なくとも二列に配置され、
同一列の各入口側キャップ（１０）どうしが、前記第１外面と第３外面の気体入口ポート（１０ａ）で直接接続されるとともに、一方の列の入口側キャップ（１０）の前記第２外面の気体入口ポート（１０ａ）と、他方の列の第２外面の気体入口ポート（１０ａ）どうしが直接接続される請求項６に記載のパージ用気体分配装置。
【請求項８】
夫々の気体分離膜モジュール（１）の入口側キャップ（１０）およびマニホルドユニット（１２）並びに出口側キャップ（１１）に夫々互いに整合するボルト孔（１９）が形成され、
夫々の気体分離膜モジュール（１）が、入口側キャップ（１０）およびマニホルドユニット（１２）並びに出口側キャップ（１１）のボルト孔（１９）に挿通された通しボルト（２０）により締結固定されると共に、各入口キャップ（１０）の気体入口ポート（１０ａ）どうしおよび、気体出口ポート（１６）どうし並びに、夫々のパージ出口ポート（２３）とパージ入口ポート（１８）とがＯリング（２８）を介して気密に連通される請求項３〜請求項７のいずれかに記載のパージ用気体分配装置。
【発明の詳細な説明】
【０００１】
【発明の属する技術分野】
本発明は除湿用などに使用される気体分離膜モジュールを複数並列接続する場合において、各気体分離膜モジュールのパージ入口ポートに接続が可能なパージ用気体の分配装置に関する。
【０００２】
【従来の技術】
一般に気体、特に空気中には水分を含んでいるため、空気圧縮機で圧縮された空気を計装装置などの負荷設備に供給する際などには、予め除湿装置で含まれているで水分を除去する。除湿装置として最近注目されているものに、多数の中空糸分離膜を束にして筒体に収容した気体分離膜モジュールを使用する装置がある。そのような気体分離膜モジュールとしては、例えば宇部興産（株）から市販されている型式Ｃ１０ＶやドイツのＢＥＫＯ社から市販されている型式４０２０などがある。
【０００３】
一般に、中空糸分離膜は極めて直径の小さい中空繊維の側壁に無数の微細な連通孔を設けたもので、その一次側（中空糸分離膜の内側）に気体を流すと、気相状態にある水分が水蒸気分圧差により生じる膜の浸透力によって二次側（中空糸分離膜の外側）に分離除去される。そして水分を除去された気体は乾燥気体として気体出口側から排出される。
【０００４】
図６は従来の気体分離膜モジュールを使用した除湿装置を模式的に示す斜視図で、図７はその部分断面図である。気体分離膜モジュール１は筒体２に多数の中空糸分離膜３を束ねた束体を収容して構成され、筒体２の気体入口側と気体出口側にはそれぞれキャップ４，５が装着される。圧縮気体源から送られてくる水分を含んだ気体は気体入口側のキャップ４を経て中空糸分離膜３の一次側に供給され、それを通過する間に水分を除去されて気体出口側のキャップ５から乾燥気体として排出する。
【０００５】
中空糸分離膜３の二次側における湿度が高くなると分離能力が低下するので、二次側の湿度は常に規定値以下に維持する必要がある。そのため気体出口側の乾燥気体の一部をパージ供給口６より筒体２内に設けたパージ通路７に供給し、そこを通過する間に中空糸分離膜３の二次側に分離された水分を同伴してパージ排出口８から外部に排出するようにしている。
中空糸分離膜３の二次側における湿度除去率はパージ流量によって変化するので、予め設定された湿度を維持するようにニードル弁などの流量調整弁９で調整する。
【０００６】
図８は従来の気体分離膜モジュールを使用した除湿装置の他の例を示す部分断面図である。この気体分離膜モジュール１は図６（図７）の例と異なり、出口側のキャップ５の内部から乾燥気体を分離し、それを直接パージ通路７に供給している。
上記図６または図８の除湿装置には１本の気体分離膜モジュール１のみが示されているが、一般に工場やプラントなどにおける負荷設備の乾燥気体消費量は極めて大きいので、通常、複数の気体分離膜モジュールを配管などで並列接続して大容量の除湿装置を構成することが多い。
【０００７】
【発明が解決しようとする課題】
しかしながら、これら従来の除湿装置には次のような問題がある。すなわち図６の除湿装置は１本の気体分離膜モジュールごとにパージ配管とその流量調整弁９を設けるのでコスト高になり、複数の気体分離膜モジュールを並列接続して使用する場合には、パージ配管類を配置するための設置スペースが大きくなる。また個々にパージの流量調整を行わなければならないので手間がかかる。さらに複数の気体分離膜モジュールを連結するための配管類も必要になる。
【０００８】
また、図８の除湿装置はコンパクトであるがパージ気体の流量調整が外部から出来ないので、除湿条件などの変動に有効に対応できない。
そこで本発明はこのような従来の除湿装置における問題を解決することを課題とし、その課題を達成するための気体分配装置を提供することを目的とする。
【０００９】
【課題を解決するための手段】
すなわち請求項１に記載の発明は、夫々、多数の中空糸分離膜を束ねた束体を筒体（２）に収容し、その束体の両端に気体出入口ヘッダを構成し、気体入口ポート（１０ａ）が設けられた入口側キャップ（１０）と、気体出口ポート（１６）が設けられた出口側キャップ（１１）とが配置され、筒体（２）内にパージ用の気体を供給するパージ入口ポート（１８）が設けられた、複数の気体分離膜モジュール（１）を有し、
その気体分離膜モジュール（１）が複数並列接続される場合において、夫々の気体分離膜モジュール（１）の夫々の気体出口側に接続可能な前記パージ用の気体の分配装置であって、
出口側キャップ（１１）の気体出口ポート（１６）から供給されるパージ用気体の入口となるパージ入口ポート（２２）が端部に形成されている主連通路（２４）および、その主連通路（２４）から分岐した複数の分岐連通路（２５）を有するマニホルドユニット（１２）と、
出口側キャップ（１１）の気体出口ポート（１６）とマニホルドユニット（１２）のパージ入口ポート（２２）とが連通する連通手段（１４）および流量調整手段（１５）を有するパージ供給手段（１３）と、を具備し、
夫々の気体分離膜モジュール（１）の各パージ入口ポート（１８）に、マニホルドユニット（１２）の各分岐連通部（２５）が連通されることを特徴とするパージ用気体分配装置である。
【００１０】
請求項２に記載の発明は、前記マニホルドユニット(12)の前記主連通路(24)に圧力計(26)が取付られ、その圧力計(26)の出力に基づき、前記流量調整手段(15)が制御される請求項１に記載のパージ気体分配装置である。
【００１１】
請求項３に記載の発明は、夫々、多数の中空糸分離膜を束ねた束体を筒体（２）に収容し、その束体の両端に気体出入口ヘッダを構成する入口側キャップ（１０）と出口側キャップ（１１）とが配置され、筒体（２）内にパージ用の気体を供給するパージ入口ポート（１８）が設けられた、複数の気体分離膜モジュール（１）を有し、
その気体分離膜モジュール（１）が複数並列接続される場合において、複数の気体分離膜モジュール（１）の気体出口側に直接装着が可能な前記パージ用の気体の分配装置であって、
複数の出口側キャップ（１１）に直接連結されるブロック状のマニホルドユニット（１２）と、パージ供給手段（１３）とを備え、
前記出口側キャップ（１１）は、束体の出口側と連通する気体出口ポート（１６）と、前記パージ入口ポート（１８）とを有し、
前記マニホルドユニット（１２）は、パージ入口ポート（２２）を端部に有する主連通路（２４）と、その主連通路（２４）から複数の分岐連通路（２５）が分岐され、各分岐連通路（２５）の端部がパージ出口ポート（２３）を有し、
前記出口側キャップ（１１）の各パージ入口ポート（１８）と、それに対応するマニホルドユニット（１２）の各パージ出口ポート（２３）が互いに連通され、
パージ供給手段（１３）は出口側キャップ（１１）の気体出口ポート（１６）とマニホルドユニット（１２）のパージ入口ポート（２２）に連通する連通手段（１４）および流量調整手段（１５）を有することを特徴とするパージ用気体分配装置である。
【００１２】
請求項４に記載の発明は、パージ供給手段(13)における流量調整手段(15)の出口側またはマニホルドユニット(12)の主連通路(24)に圧力計(26)が連通していることを特徴とする請求項３に記載のパージ用気体分配装置である。
【００１３】
請求項５に記載の発明は、夫々の気体分離膜モジュール(1) の出口側キャップ(11)は、その周方向の側面に順次隣り合う第１外面と第２外面と第３外面とが互いに直交する平面を有し、互いに平行な第１外面および第３外面に互いに連通された少なくとも一対の気体出口ポート(16)が開口され且つ、第２外面にパージ入口ポート(18)が開口し、
マニホルドユニット(12)は、細長いブロック体からなりその少なくとも一方の側面に定間隔に複数のパージ出口ポート(23)が開口され、
夫々の気体分離膜モジュール(1) の出口側キャップ(11)を互いに接続して各気体出口ポート(16)どうしが接続されると共に、その接続体の側面にマニホルドユニット(12)を接続して、夫々のパージ出口ポート(23)とパージ入口ポート(18)とが連通されるように構成された請求項３または請求項４に記載のパージ用気体分配装置である。
【００１４】
請求項６に記載の発明は、出口側キャップ（１１）の第２外面に気体出口ポート（１６）が開口され、それが第１外面および第３外面の気体出口ポート（１６）に互いに連通され、
マニホルドユニット（１２）は、両側面に定間隔に複数のパージ出口ポート（２３）および気体貫通路（２１）が開口され、
夫々の気体分離膜モジュール（１）の出口側キャップ（１１）を互いに接続して、その接続体が少なくとも二列に配置され、両列間にマニホルドユニット（１２）が介装され、各列の気体出口ポート（１６）が同一の列内で連通されると共に、マニホルドユニット（１２）の夫々のパージ出口ポート（２３）と夫々の気体分離膜モジュール（１）のパージ入口ポート（１８）とが連通し且つ、夫々の気体貫通路（２１）と気体出口ポート（１６）が連通するように構成された請求項５に記載のパージ用気体分配装置である。
【００１５】
請求項７に記載の発明は、筒体（２）が直管で構成され、その一端に入口側キャップ（１０）が配置され、他端に出口側キャップ（１１）が配置され、
入口側キャップ（１０）は、その周方向の側面に順次隣り合う第１外面と第２外面と第３外面とが互いに直交する平面を有し、第１外面〜第３外面に互いに連通された３つの気体入口ポート（１０ａ）が開口され、
夫々の気体分離膜モジュール（１）の入口側キャップ（１０）を互いに接続して、その接続体が少なくとも二列に配置され、
同一列の各入口側キャップ（１０）どうしが、前記第１外面と第３外面の気体入口ポート（１０ａ）で直接接続されるとともに、一方の列の入口側キャップ（１０）の前記第２外面の気体入口ポート（１０ａ）と、他方の列の第２外面の気体入口ポート（１０ａ）どうしが直接接続される請求項６に記載のパージ用気体分配装置である。
【００１６】
請求項８に記載の発明は、夫々の気体分離膜モジュール(1) の入口側キャップ(10)およびマニホルドユニット(12)並びに出口側キャップ(11)に夫々互いに整合するボルト孔(19)が形成され、
夫々の気体分離膜モジュール(1) が、入口側キャップ(10)およびマニホルドユニット(12)並びに出口側キャップ(11)のボルト孔(19)に挿通された通しボルト(20)により締結固定されると共に、各入口キャップ(10)の気体入口ポート(10a) どうしおよび、気体出口ポート(16)どうし並びに、夫々のパージ出口ポート(23)とパージ入口ポート(18)とがＯリング(28)を介して気密に連通される請求項３〜請求項７のいずれかに記載のパージ用気体分配装置である。
【００１７】
【発明の実施の形態】
次に、本発明の実施の形態を図面により説明する。
図１は本発明に係る気体分配装置が装着された除湿装置を示す模式的な斜視図、図２は図１におけるキャップを分解した状態を示す模式的な斜視図、図３はキャップの一部とマニホルドユニットの連結関係を示す模式的な斜視図、図４（ａ）はマニホルドユニットの正面図，図４（ｂ）は図４（ａ）のＡ−Ａ矢視断面図である。また図５は、本発明のパージ用気体分配装置に用いる気体分離膜モジュール１の縦断面図である。
【００１８】
図５において、１は気体分離膜モジュール、２は筒体であり、図７に示した従来例と異なる点は、気体の入口室１０ｂ，出口室１１ｂから夫々三方に気体入口ポート１０ａ，気体出口ポート１６が形成されると共に、それらの各ポートの開口縁およびパージ入口ポート１８の開口縁に夫々リング溝が形成され、そこにゴム材よりなるシール用のＯリング２８が嵌着されていることである。
【００１９】
さらに図１〜図５において、１０は気体分離膜モジュール１の気体入口側に連結される入口側キャップ、１１は気体分離膜モジュール１の気体出口側に連結される本発明に係る出口側キャップ、１２はマニホルドユニット、１３はパージ供給手段、１４はパージ配管などの連通手段、１５はニードル弁等の流量調整手段、１６は気体出口ポート、１７はゴムキャップなどの閉鎖蓋、１８はパージ入口ポート、１９は貫通されたボルト孔、２０は通しボルト、２１は気体貫通路、２２はパージ入口ポート、２３はパージ出口ポート、２４は主連通路、２４ａ、２５は分岐連通路、２６は圧力計、２７は計測ポートである。
【００２０】
図１の例では６本の気体分離膜モジュール１が２列に配列されている。夫々の気体分離膜モジュール１は、その気体入口側に入口側キャップ１０が装着され、気体出口側に出口側キャップ１１が装着されている。入口側キャップ１０および出口側キャップ１１は、夫々６面体の方形のブロック状に形成され、それらブロックの４面の４隅に縦横にボルト孔１９が設けられ、そのボルト孔１９を利用して互いに通しボルト２０で着脱自在に連結されている。そして各入口側キャップ１０には気体入口ポート１０ａが外周側面の三方に開口され、各出口側キャップ１１には気体出口ポート１６が外周側面の三方に開口され、それらは内部に設けた入口室１０ｂおよび出口室１１ｂにより中空糸分離膜３の入口側および出口側に連通されると共に、各入口側キャップ１０間が互いに連通されると共に、各出口側キャップ１１間が互いに連通される。
なお、各キャップ１０，１１の開口の接続部分にはＯリング２８が挿入されて気密性を維持している。
【００２１】
この例のパージ用気体分配装置は、その気体分離膜モジュール１を２列使用し、その列間にマニホルドユニット１２を一体的に連結している。なお気体分離膜モジュール１は、多数列とすることも、１列のみの構成とすることもできる。
【００２２】
各気体分離膜モジュール１の入口側キャップ１０、出口側キャップ１１どうしがＯリング２８を介して、ボルト孔１９に挿通された通しボルト２０およびナットにより互いに各列方向に締結すると共に、列に対して直角な方向の気体出口ポート１６は、図３に示すように、マニホルドユニット１２に設けた気体貫通路２１を通して反対列の対応する気体出口ポート１６に連通する。また各列の気体入口ポート１０ａどうしは直接接続される。
なお、図１に示すように使用しない気体出口ポート１６は気密性を有する閉鎖蓋１７で閉鎖する。
【００２３】
なお、マニホルドユニット１２は図４に示すような方形のブロック状とされ、この例ではその幅方向に３つの気体貫通路２１が貫通されている。これらの気体貫通孔２１は前記のようにその両側から連結される出口側キャップ１１の各気体出口ポート１６とそれぞれ連通する。
【００２４】
さらにマニホルドユニット１２の長手方向の側面にパージ入口ポート２２が形成され、そのパージ入口ポート２２から長手方向に直径の比較的大きい管状の主連通路２４が連通され、その主連通路２４から直角に複数（この例では左右に３つずつ合計６つ）の直径の比較的小さい管状の分岐連通路２５が分岐され、各分岐連通路２５の端部がパージ出口ポート２３として幅方向の両側面にそれぞれ開口している。
これら各パージ出口ポート２３は出口側キャップ１１の対応するパージ入口ポート１８と連通する。主連通路２４からは更に一本の分岐連通路２４ａが分岐され、その分岐連通路２４ａは図１に示す圧力計２６を接続する計測ポート２７に連通している。なお圧力計２６は流量調整手段１５とパージ入口ポート２２の間に設けることもでき、その場合には計測ポート２７を閉鎖蓋で気密に閉鎖する。
【００２５】
次に上記パージ用気体分配装置の作用を説明する。図示しない圧縮気体源からの加圧された空気などの気体は、入口側キャップ１０に導入され、そこから各気体分離膜モジュール１における中空糸分離膜３の一次側に供給される。気体は中空糸分離膜３を通過する間に含まれている水分が二次側に分離除去され、乾燥気体となってそれぞれの気体出口側の開口から出口側キャップ１１の各気体連通部に流入する。流入した乾燥気体はそれら気体連通部で互いに合流し、図１に示す左端の隅部に位置する出口側キャップ１１の気体出口ポート１６から負荷設備への配管に流出する。
【００２６】
配管に流出する乾燥気体の一部はパージ供給手段１３を経てマニホルドユニット１２のパージ入口ポート２２にパージ気体として供給される。このパージ気体の流量はマニホルドユニット１２へ供給される乾燥気体の圧力に比例するので、圧力計２６の指示圧力が予め規定された値になるように連通手段１４に設けたニードル弁等の流量調整手段１５で一括的に調整する。そしてこの流量調整によって所望の乾燥度の気体を配管に流出させることができる。
【００２７】
マニホルドユニット１２のパージ入口ポート２２に供給されたパージ気体は主連通路２４を経て各分岐連通路２５に供給される。各分岐連通路２５のパージ気体はそれぞれのパージ出口ポート２３から対応する各気体分離膜モジュール１の出口側キャップ１１のパージ入力ポート１８（図５）に流入し、次いでパージ気体は各気体分離膜モジュール１のパージ通路７を通って各パージ排出口２９から外部に排出される。それにより、筒体２内を乾燥状態に保つことができる。このように直径の大きい主連通路２４から各分岐連通路２５にパージ気体を供給するように構成すると、主連通路２４における圧力降下を実質的に無視することができ、それによって各気体分離膜モジュール１のパージ通路７に均一にパージ気体を流通させることができる。
【００２８】
上記マニホルドユニット１２は、使用する気体分離膜モジュール１の本数に応じてその長さを伸縮することができる。また、上記実施の形態では気体分離膜モジュール１を三つづつ２列の合計６つを連結しているが、例えば気体分離膜モジュール１を一列、３本のみ使用する場合には、マニホルドユニット１２の片方の列（例えば図１の右側の列）に設けたパージ出口ポート２３（図４参照）と気体貫通路２１を全てゴムキャップなどの閉鎖蓋で気密に閉鎖する。
【００２９】
なお、それに代えてマニホルドユニット１２として１列用に構成したもの（パージ出口ポート２３が片方の列のみ設けられ、気体貫通路２１を省略したもの）を使用してもよい。
このような方式を採用することにより、乾燥気体の供給容量が設備設置時または設置後を問わず変化する場合などに迅速に対応することができる。
【００３０】
【変形例】
なお、上記実施の形態で、入口側キャップ１０および出口側キャップ１１は、角形ブロックで構成したが、これに限らず複数の従来の気体分離膜モジュールのキャップを用い、そのパージ入口ポートとマニホルドユニットの各分岐通路のパージ出口ポートとを夫々配管で接続することもできる。
【００３１】
【発明の効果】
以上のように本発明に係るパージ用気体分配装置によれば、気体分離膜モジュールが複数並列接続される場合に、それら各気体分離膜モジュールに供給するパージ用気体の流量を、パージ供給手段における流量調整手段により一括して調整できる。そのため除湿後の気体乾燥度を迅速且つ簡単に調整することができる。また、複数の気体分離膜モジュールごとにパージ用気体の流量調整手段を設ける従来の装置に比べて設置面積を大幅に減少できる。
さらに本パージ用気体分配装置において、それを構成するキャップとマニホルドユニットまたは複数の気体分離膜モジュールとの間を配管類を使用せずに直接着脱自在に連結する場合には、除湿装置全体をコンパクト化できると共に、その設置スペースを大幅に減少できる。
【００３２】
上記パージ用気体分配装置において、パージ供給手段における流量調整手段の出口側またはマニホルドユニットの主連通路に連通して圧力計を設けることができる。このような圧力計を設けるとパージ用気体の流量調整をより容易に行うことが出来る。
【図面の簡単な説明】
【図１】本発明に係る気体分配装置が装着された除湿装置を示す模式的な斜視図。
【図２】図１におけるキャップを分解した状態を示す模式的な斜視図。
【図３】キャップの一部とマニホルドユニットの連結関係を示す模式的な斜視図。
【図４】（ａ）はマニホルドユニットの正面図図，（ｂ）は（ａ）のＡ−Ａ矢視断面図。
【図５】気体分離膜モジュールの縦断面図。
【図６】従来の気体分離膜モジュールを使用した除湿装置を模式的に示す斜視図。
【図７】図６の部分断面図。
【図８】従来の気体分離膜モジュールを使用した除湿装置の他の例を示す部分断面図。
【符号の説明】
１  気体分離膜モジュール
２  筒体
３  中空糸分離膜
４  キャップ
５  キャップ
６  パージ供給口
７  パージ通路
８  パージ排出口
９  流量調整弁
１０  入口側キャップ
１０ａ  気体入口ポート
１０ｂ  入口室
１１  出口側キャップ
１１ｂ  出口室
１２  マニホルドユニット
１３  パージ供給手段
１４  連通手段
１５  流量調整手段
１６  気体出口ポート
１７  閉鎖蓋
１８  パージ入口ポート
１９  ボルト孔
２０  通しボルト
２１  気体貫通路
２２  パージ入口ポート
２３  パージ出口ポート
２４  主連通路
２４ａ  分岐連通路
２５  分岐連通路
２６  圧力計
２７  計測ポート
２８  Ｏリング
２９  パージ排出口
【図１】
0004718037.tif 000002
【図２】
0004718037.tif 000003
【図３】
0004718037.tif 000004
【図４】
0004718037.tif 000005
【図５】
0004718037.tif 000006
【図６】
0004718037.tif 000007
【図７】
0004718037.tif 000008
【図８】
0004718037.tif 000009